(57)【要約】【課題】ユーザが簡単にフレームの合成された画情報付きフレームを作成可能にする。【解決手段】制御回路が、入力部から撮影指示があると判定すると（Ｓ１０ステップ）、撮影部及び画処理部を制御することにより画情報の撮影及び作成を行い（Ｓ１１ステップ）、画情報の合成指示があると判定すると（Ｓ１２ステップ）、予め第２格納部１５に格納されているフレームに前記Ｓ１１ステップで撮影、作成した画情報を合成する（Ｓ１３ステップ〜Ｓ１６ステップ）。又、入力部からメール添付の指示があると判定すると、作成された画情報付きフレームをメールに添付して送信させる（Ｓ１９、Ｓ２０ステップ）。【選択図】  図８
2004328241.tif 000002
【特許請求の範囲】
【請求項１】
透明領域があるフレームを有したサンプル動画を１以上格納するサンプル動画格納手段と、１以上のオリジナル画像を格納するオリジナル画像格納手段と、選択手段と、前記サンプル動画に前記オリジナル画像を合成する合成手段と、
前記選択手段により選択された前記動画の透明領域があるフレームに前記選択手段により選択された前記オリジナル画像を合成した動画を生成させる制御手段と、を備えたことを特徴とする通信装置。
【請求項２】
請求項１記載の通信装置であり、
更に、撮影により画情報を生成する撮影手段を有し、前記オリジナル画像は前記撮影手段により生成された画像であることを特徴とする通信装置。
【請求項３】
請求項１記載の通信装置であり、
更に、画情報を受信する受信手段を有し、前記オリジナル画像は前記受信手段により受信された画像であることを特徴とする通信装置。
【請求項４】
請求項１〜３記載の通信装置であり、
更に、前記合成した動画を再生する再生手段を有し、
前記オリジナル画像格納手段には、前記動画を構成する一連のフレーム夫々に再生時間が対応付けられて格納されており、前記再生手段により静止画であるオリジナル画像が合成された前記サンプル動画を再生する際には、前記再生時間に基づいて再生されることを特徴とする通信装置。
【請求項５】
請求項１〜３記載の通信装置であり、
更に、前記合成した動画を再生する再生手段を有し、
前記オリジナル画像格納手段には、前記動画を構成する一連のフレーム夫々に再生時間が対応付けられて格納されており、前記合成した動画を前記再生手段により再生する際に、前記透明領域を有しないフレームを再生する時には前記再生時間に基づいて再生され、一方、動画であるオリジナル画像が合成されたフレームを再生する時には合成した動画である前記オリジナル画像の再生時間に基づいて再生されることを特徴とする通信装置。
【発明の詳細な説明】
【０００１】
【発明の属する技術分野】
本発明は、通信装置に関する。
【０００２】
【従来の技術】
近年ではＣＣＤ（Ｃｈａｒｇｅ  Ｃｏｕｐｌｅｄ  Ｄｅｖｉｃｅ）等の撮像素子と画像処理技術の進歩により、ユーザが手軽にデジタル画像を作成することが可能になっている。又、ユーザがデジタル画像を作成するためのツールの一つとしてデジタルカメラが挙げられる。
【０００３】
ユーザは、デジタルカメラで撮影した風景等をデジタルカメラに搭載されている液晶表示部で再生することにより、撮影後直ちに撮影したものを確認することが可能である。
【０００４】
又、デジタルカメラで撮影し生成した画情報にユーザがテキストデータを合成する技術が提案されている（例えば、特許文献１参照）。
【０００５】
近年では、このようなデジタルカメラの技術が携帯電話にも搭載されるようになった。
【０００６】
近年の携帯電話では、静止画或いは動画を作成する為のＣＣＤカメラを搭載したものが実際に製品化されており、ユーザは作成した静止画或いは動画を表示部に表示させ、見ることが可能である。
【０００７】
又、作成した静止画に所望のテキストやフレームを合成し、オリジナル画像を作成することも可能である。
【０００８】
【特許文献１】
特開２００３−６０９６３号公報（第３頁〜第６頁及び図１０）。
【０００９】
【発明が解決しようとする課題】
このような携帯電話において、例えば動画にフレームやテキストデータを合成する場合には、ユーザは、テキストの入力操作や、テキストの配置位置を決定する操作等が必要である為、非常に手間がかかるという問題がある。又、例えばユーザが作成した動画に映画のようなフレームを合成する場合には、動画の開始からどのタイミングで垂れ幕やテキスト（例えば、映画が終わることを示す、「ＦＩＮ」や「終劇」等）を合成するかをユーザが入力操作により設定しなければならず、非常に面倒である。
【００１０】
【課題を解決するための手段】
本発明はこのような課題を解決する為のものであり、請求項１記載の通信装置は、透明領域があるフレームを有したサンプル動画を１以上格納するサンプル動画格納手段と、１以上のオリジナル画像を格納するオリジナル画像格納手段と、選択手段と、前記サンプル動画に前記オリジナル画像を合成する合成手段と、前記選択手段により選択された前記動画の透明領域があるフレームに前記選択手段により選択された前記オリジナル画像を合成した動画を生成させる制御手段と、を備えたことを特徴とする。
【００１１】
請求項２記載の通信装置は、請求項１記載の通信装置であり、更に、撮影により画情報を生成する撮影手段を有し、前記オリジナル画像は前記撮影手段により生成された画像であることを特徴とする。
【００１２】
請求項３記載の通信装置は、請求項１記載の通信装置であり、更に、画情報を受信する受信手段を有し、前記オリジナル画像は前記受信手段により受信された画像であることを特徴とする。
【００１３】
請求項４記載の通信装置は、請求項１〜３記載の通信装置であり、更に、前記合成した動画を再生する再生手段を有し、前記オリジナル画像格納手段には、前記動画を構成する一連のフレーム夫々に再生時間が対応付けられて格納されており、前記再生手段により静止画であるオリジナル画像が合成された前記サンプル動画を再生する際には、前記再生時間に基づいて再生されることを特徴とする。
【００１４】
請求項５記載の通信装置は、請求項１〜３記載の通信装置であり、更に、前記合成した動画を再生する再生手段を有し、前記オリジナル画像格納手段には、前記動画を構成する一連のフレーム夫々に再生時間が対応付けられて格納されており、前記合成した動画を前記再生手段により再生する際に、前記透明領域を有しないフレームを再生する時には前記再生時間に基づいて再生され、一方、動画であるオリジナル画像が合成されたフレームを再生する時には合成した動画である前記オリジナル画像の再生時間に基づいて再生されることを特徴とする。
【００１５】
【発明の実施の形態】
本発明を適用してなる実施例装置は、画像を合成するテキストデータとフレームを予め格納しており、簡単な操作で、所望のフレームに動画や静止画といった画情報を合成することを可能とするものである。
【００１６】
図１は、本発明を適用してなる実施例装置の斜視図である。
【００１７】
図１は、通信装置（例えば、携帯電話装置）の斜視図であり、例えば液晶表示装置からなるメイン表示部１８を搭載した第１の筐体１００と、テンキーや通話キーや切キー等からなる入力部２０を搭載した第２の筐体２００とがヒンジ部３００を介して回動可能に接続されている。
【００１８】
図２は、図１に示す通信装置の背面側から見た斜視図であり、図２において、第１の筐体１００の背面にはサブ表示部１９が配置されており、一方、第２の筐体２００の背面にはアンテナ２が配置されており、前記第１の筐体１００と第２の筐体２００とはヒンジ部３００を介して回動可能に接続されている。
【００１９】
又、前記通信装置は、開いた状態では、図１及び図２に示す状態となるが、図１及び図２に示す第１の筐体１００を矢印Ｂ方向に閉じることにより、筐体を閉じることが可能である。又、前記第１の筐体１００を閉じた状態では、前記メイン表示部１８は第２の筐体２００の入力部２０と対向する位置にある為にユーザがメイン表示部１８を見ることができない。一方、前記サブ表示部１９は筐体を閉じた状態でもユーザが見ることができる。
【００２０】
図３は、本発明を適用してなる実施例装置である携帯電話装置のブロック図である。
【００２１】
図３において、通信部１は、後述するベースバンド部３からの信号をアンテナ２を介して基地局へ発信したり、アンテナ２を介して基地局からの電波を受信したりする。
【００２２】
ベースバンド部３は、ＣＤＭＡ（Ｃｏｄｅ  ＤｉｖｉＳｉｏｎ  Ｍｕｉｔｉｐｌｅ  ＡｃｃｅＳＳ）処理回路３１と、音声コーデック処理回路３２とを有する。前記ＣＤＭＡ処理回路３１は、符号分割多元接続、スクランブル、誤り制御、タイミング検出等を行う。前記音声コーデック処理回路３２は、音声を圧縮（符号化）、伸長（復号化）したり、アナログ信号とデジタル信号の変換を行ったり、内部の増幅回路（図示せず）により受話音量やマイクロホンの感度を変更する。
【００２３】
通話に使用されるスピーカ４は、アンプ５で増幅された切替回路１０からの電気信号を音声信号に変換する。通話に使用されるマイクロホン６は、音声信号を電気信号に変換しアンプ７へ出力する。又、アンプ７により増幅された電気信号は、切替回路１０に出力される。更に、スピーカ８は、アンプ９にて増幅された呼び出し音やメロディーを出力する。
【００２４】
切替回路１０は、３つのアンプ５、７、９とベースバンド部３との接続を後述する制御回路１１の制御によりＯＮ／ＯＦＦする。尚、これらの増幅回路はゲインを固定しており、受話音量やキークリック音量やマイクロホンの感度を変更することはできない。受話音量やキークリック音量やマイクロホンの感度の変更は、制御回路１１の制御によりベースバンド部３の音声コーデック３２が行う。
【００２５】
マイクロプロセッサからなる制御回路１１は、例えばＲＯＭ（Ｒｅａｄ  Ｏｎｌｙ  Ｍｅｍｏｒｙ）からなる第１格納部１２に格納されたシステムプログラムに基づいて、各部を制御すると共に、着信時に無線回線を介して相手側から電話番号データを受信したか否かの判定を行う。
【００２６】
撮影部１３は、例えばＣＣＤ（Ｃｈａｒｇｅ  Ｃｏｕｐｌｅｄ  Ｄｅｖｉｃｅ）からなり、風景等の画情報を後述する画処理部１４に送出する。
【００２７】
制御回路１１内部に配置された画処理部１４は、例えばＤＳＰ（Ｄｉｇｉｔａｌ  Ｓｉｇｎａｌ  Ｐｒｏｃｅｓｓｏｒ）からなり、前記撮影部１３から入力した画情報の２値化、間引き圧縮等の機能や、前記ベースバンド３を介して受信したメールに添付している画情報の伸長、復号化、等の機能を有しており、例えば、ＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）形式や、ＭＰＥＧ（Ｍｏｖｉｎｇ  Ｐｉｃｔｕｒｅ  Ｅｘｐｅｒｔｓ  Ｇｒｏｕｐ）形式で静止画や動画の圧縮、伸張を行うことが可能である。
【００２８】
第２格納部１５は、例えばＳＲＡＭ（Ｓｔａｔｉｃ  Ｒａｎｄｕｍ  ＡｃｃｅＳＳ  Ｍｅｍｏｒｙ）からなり、前記撮影部１３にて撮影された画情報や、ベースバンド部３が受信したメールに添付されている画情報を格納する。
【００２９】
第３格納部１６は、例えばＳＲＡＭ（Ｓｔａｔｉｃ  Ｒａｎｄｕｍ  ＡｃｃｅＳＳ  Ｍｅｍｏｒｙ）からなり、各種フレームデータを格納している。前記フレームデータとは、例えば、図４及び図５に示すフレームデータであり、以下、詳細に説明する。
【００３０】
先ず、図４において、フレームは３つのフレームから構成され、図４の（ａ）は垂れ幕が垂れた状態を示す図であり、映画或いは演劇等が始まる前の状況を示している。（ｂ）は垂れ幕が開いた状態を示す図であり、画面の中央部分に前記撮影部１３及び画処理部１４で撮影及び形成された又はメールに添付された画情報を合成可能する為の透明枠３０が形成されている。（ｃ）は、映画或いは演劇等が終了した状況（画情報の表示が終了）を示しており、中央に「ＴＨＥ  ＥＮＤ」の文字が表示されている。
【００３１】
又、図５に示すようなフレームも格納されている。図５の（ａ）は火山の噴火が今にも始まる状況を示す図である。又、（ｂ）は、だれかが怒っている状況を示す図であり、画面の中央部分に前記撮影部１３及び画処理部１４で撮影及び形成された又はメールに添付された画情報を合成可能である。（ｃ）は、火山が噴火したことを示す図であり、（ｂ）の画面中央に合成される人物の怒りが爆発したことを表現している。
【００３２】
又、図４及び図５の（ａ）の再生時間は例えば３秒であり、（ｂ）の再生時間は例えば４秒、（ｃ）の再生時間は例えば３秒であり、これらの再生時間データは、各フレームに対応付けられて第２格納部１５に格納されている。
【００３３】
尚、これらのフレームデータは、ＪＰＥＧやＭＰＥＧ等の圧縮をかけていない状態である為に、特定の拡張子が付けられていない状態のデータ（以下、このようなデータを生データの意味であるＲＡＷＤＡＴＡと称する）である。
【００３４】
第４格納部１７は、例えばＳＲＡＭ（Ｓｔａｔｉｃ  Ｒａｎｄｕｍ  ＡｃｃｅＳＳ  Ｍｅｍｏｒｙ）からなり、前記第３格納部１６に格納されているフレームに前記撮影部１３及び画処理部１４で撮影及び形成された又はメールに添付された画情報を合成したフレーム（画情報付きフレーム）を格納する。例えば、前記第４格納部１７には、図６及び図７に示すような画情報付きフレームが格納され、図６に示す画情報付きフレームは、図４の（ａ）及び（ｃ）に示すフレームと、更に図４の（ｂ）のフレームに撮影部１３及び画処理部１４で撮影及び形成された又はメールに添付された画情報を合成した画情報付きフレームである。一方、図７に示す画情報付きフレームは、図５の（ａ）及び（ｃ）に示すフレームと、更に図５の（ｂ）のフレームに撮影部１３及び画処理部１４で撮影及び形成された又はメールに添付された画情報を合成した画情報付きフレームである。
【００３５】
メイン表示部１８は、図１に示す第１の筐体１００に搭載された例えば液晶表示装置からなる表示装置であり、相手側の氏名や電話番号、メールアドレス、メール本文、待ちうけ画像等を表示可能である。
【００３６】
サブ表示部１９は、図２に示す第１の筐体１００に搭載された例えば液晶表示装置からなる表示装置であり、着信時に相手側の氏名や電話番号、メールアドレス等を表示し、待ちうけ時には現在時刻等を表示する。
【００３７】
入力部２０は、テンキー、通話キー、切キー、電源キー等の各種キーからなる。
【００３８】
開閉検出部２１は、筐体の開閉を検出する。
【００３９】
次に本実施例装置の動作について以下に説明する。
【００４０】
図３は、本実施例装置の動作を示すフロー図である。
【００４１】
Ｓ１０ステップにおいて、制御回路１１は、入力部２０から撮影を指示する操作があると判定するとＳ１１ステップへ処理を進める。
【００４２】
Ｓ１１ステップでは、制御回路１１は、撮影部１３から入力された画像データを画処理部１４で２値化及び間引させ、間引きした画像データを第３格納部１６に格納し、Ｓ１２ステップへ処理を進める。
【００４３】
尚、前記Ｓ１１ステップにおいて第３格納部１６に格納された画像データは、ＪＰＥＧやＭＰＥＧ等の圧縮をかけていない状態である為に、特定の拡張子が付けられていない状態のデータ（以下、このようなデータを生データの意味であるＲＡＷＤＡＴＡと称する）である。
【００４４】
Ｓ１２ステップでは、制御回路１１は、入力部２０からフレームと撮影した画情報の合成指示があると判定するとＳ１３ステップへ処理を進め、そうでなければ処理を終了する。
【００４５】
Ｓ１３ステップでは、制御回路１１は、フレーム選択処理を行う。具体的には、制御回路１１はメイン表示部１８に、図９に示すように、第２格納部１５に格納されている図３と図４に示すフレームの代表フレーム（例えば、図４（ａ）と図５（ａ）のフレーム）を複数表示するか、或いはキー操作に応じてサイクリックに切り換え表示し、入力部２０からどのフレームにするかを決定する操作があると判定するとＳ１４ステップへ処理を進める。
【００４６】
Ｓ１４ステップでは、制御回路１１は、図４（ｂ）又は図５（ｂ）のフレームに合成する画情報の選択処理を行う。具体的には、制御回路１１は、図１０に示すように第３格納部１６に格納されている画情報（例えば、画像Ａと画像Ｂ）を複数同時に表示するか或いはキー操作に応じてサイクリックに切り換え表示し、入力部２０からどの画情報にするかを決定する操作があると判定するとＳ１５ステップへ処理を進める。
【００４７】
Ｓ１５ステップでは、制御回路１１は、画処理部１４を制御することにより、前記Ｓ１３ステップで決定されたフレームと前記Ｓ１４ステップで決定された画情報の合成処理を行う。具体的には、制御回路１１は、画処理部１４を制御することにより、例えばＳ１３ステップで図４に示すフレームが決定され、Ｓ１４ステップで画像Ａが決定されると、図６に示すように、前記Ｓ１４ステップで決定された画情報（例えば、図１０の画像Ａ）の上に、図４（ｂ）に示すフレームが合成された画情報が形成される。即ち、図４（ｂ）に示すフレームの透明枠３０にＳ１４ステップで決定された画情報が見える状態となる。
【００４８】
続くＳ１６ステップでは、制御回路１１は、前記Ｓ１５ステップで形成された画情報付きフレームを第４格納部１７に格納し、Ｓ１７ステップへ処理を進める。
【００４９】
尚、このとき、図４に示す各フレームには再生時間が対応付けられて第２格納部１５に格納されている為、図６に示す画情報付きフレームが第４格納部１７に格納される際には、各フレームの再生時間も前記第４格納部１７に格納されることとなる。
【００５０】
Ｓ１７ステップでは、制御回路１１は、入力部２０から前記Ｓ１６ステップで格納された画情報付きフレームの表示指示があると判定するとＳ１８ステップへ処理を進め、そうでなければ処理を終了する。
【００５１】
Ｓ１８ステップでは、制御回路１１は、前記Ｓ１６ステップで格納された画情報付きフレームを読み込み、画処理部１４で伸長した後にメイン表示部１８で表示させる。
【００５２】
尚、このとき、第４格納部１７に格納されている画情報付きフレームの各フレームには再生時間が対応付けられて格納されている為、図６に示す画情報付きフレームは、前記再生時間に従って再生される。例えば、図６に示す（ａ）が３秒、（ｂ）が４秒、（ｃ）が３秒再生される情報が前記第４格納部１７に格納されている場合には、（ａ）が３秒、（ｂ）が４秒、（ｃ）が３秒メイン表示部１８に表示される。
【００５３】
続くＳ１９ステップでは、制御回路１１は、入力部２０から前記Ｓ１８ステップで表示されている画情報付きフレームのメール添付指示があると判定すると、メールの送信処理をすべくＳ２０ステップへ処理を進める。
【００５４】
Ｓ２０ステップでは、制御回路１１は、入力部２０からメールの宛先、タイトル、本文が入力され、送信指示があると判定すると、ベースバンド部３と通信部１を制御することにより、入力されたメール本文に前記Ｓ１８ステップで表示されている画情報付きフレームを第４格納部１７添付させ、指定された宛先へ送信する。
【００５５】
以上説明したように、本実施例装置では、ユーザが撮影し作成した画情報に、予め格納しているフレームデータを合成するだけで、好みの画情報付きフレームを簡単に作成することができる為、フレームの作成や合成するテキストデータの作成を行う手間をかけずに済むという効果がある。
【００５６】
又、各フレームには予め再生時間が対応付けられて格納されている為、フレームの再生時間をユーザが設定する操作を省くことが可能である。
【００５７】
尚、本実施例では、ユーザが撮影し作成した画情報に予め用意したフレームを合成する構成としたが、受信したメールに添付されている画情報に予め用意したフレームに合成する構成としても良い。
【００５８】
このような構成とすることにより、自分が作成した画情報だけでなく、他の人が作成した画情報にフレームを合成することが可能である為、フレームと合成する画情報の自由度を広げることが可能である。
【００５９】
更に、着脱自在な記憶装置から画情報を読み込み、読み込んだ画情報を予め用意したフレームに合成する構成としても良い。
【００６０】
このような構成とすることにより又、自分が作成した画情報だけでなく、他の人が作成した画情報もフレームに合成することが可能である為、フレームと合成する画情報の自由度を広げることが可能である。
【００６１】
又、各フレーム（例えば、図４（ａ）、（ｂ）、（ｃ））の再生時間をユーザが設定可能としても良い。
【００６２】
このような構成とすることにより、例えば、画情報が合成されたフレームを長く再生させること等が可能となり、自分の一番伝えたい画像を相手に強く印象づけることが可能となる。
【００６３】
更に、本実施例では、静止画にフレームを合成する構成としたが、動画にフレームを合成する構成としても良い。
【００６４】
このような構成とすることにより、より楽しい画情報を作成することが可能となる。
【００６５】
又、動画を合成する場合、画情報を合成しないフレームのみ予め再生時間を設定しておき、動画を合成するフレームのみ再生時間を合成する動画の再生時間とする構成としても良い。
【００６６】
このような構成とすることにより、フレームの再生時間が４秒であり、一方、動画の再生時間が例えば７秒である場合に、フレームの再生時間が優先される為に動画を最後まで再生できないとった問題を回避することが可能である。
【００６７】
【発明の効果】
本発明は、ユーザが簡単にフレームやテキストの付いた画情報付きフレームを作成することを可能にする。
【図面の簡単な説明】
【図１】本発明を適用してなる実施例装置の斜視図である。
【図２】本発明を適用してなる実施例装置の斜視図である。
【図３】本実施例装置のブロック図である。
【図４】フレームの一例を示す図である。
【図５】フレームの一例を示す図である。
【図６】画情報を合成したフレームの一例を示す図である。
【図７】画情報を合成したフレームの一例を示す図である。
【図８】本実施例装置の動作を示すフロー図である。
【図９】メイン表示部１８の表示形態を示す図である。
【図１０】メイン表示部１８の表示形態を示す図である。
【符号の説明】
１  通信部
３  ベースバンド部
１１  制御回路
１３  撮影部
１４  画処理部
１５  第２格納部
１６  第３格納部
１７  第４格納部
１８  メイン表示部
１９  サブ表示部
２０  入力部
【図１】
2004328241.tif 000003
【図２】
2004328241.tif 000004
【図３】
2004328241.tif 000005
【図４】
2004328241.tif 000006
【図５】
2004328241.tif 000007
【図６】
2004328241.tif 000008
【図７】
2004328241.tif 000009
【図８】
2004328241.tif 000010
【図９】
2004328241.tif 000011
【図１０】
2004328241.tif 000012